(57)【要約】【課題】回転式のシャッター機構を採用しながら、非筆記時におけるペン先の収容空間の気密性が十分に高められた筆記具を提供すること。【解決手段】筆記具１００は、軸筒開口部１０ａを有する軸筒１０と、軸筒１０内に保持された筆記体２０と、軸筒１０内に配置され、回転筒開口部３０ａを有する回転筒３０と、軸筒１０に固定され、閉鎖体開口部４０ａを有し、回転筒３０の後方から回転筒開口部３０ａを気密に閉鎖可能な閉鎖体４０と、を備えている。閉鎖体４０は、軸線Ｌ周りの位相が軸筒開口部１０ａと揃えられた閉鎖体開口部４０ａと、閉鎖部４４と、を有する。回転筒３０は、筆記体２０が筆記状態にあるとき、回転筒開口部３０ａの軸線Ｌ周りの位相が閉鎖体開口部４０ａの位相と揃えられ、筆記体２０が非筆記状態にあるとき、回転筒開口部３０ａの軸線Ｌ周りの位相が閉鎖体４０の閉鎖部４４の位相と揃えられる。【選択図】図２
2019202519.tif 000002
【特許請求の範囲】
【請求項１】
前端に軸筒開口部を有する軸筒と、
前記軸筒内にその軸線方向に相対移動可能に保持された筆記体と、
前記軸筒内に、その軸線周りに相対回転可能に配置され、前端に回転筒開口部が形成された、回転筒と、
前記軸筒に固定され、前記回転筒の内部において当該回転筒の後方から前記回転筒開口部を気密に閉鎖可能な閉鎖体と、を備え、
前記筆記体は、前記軸筒に対し前方に所定位置まで押し込まれると、前記軸筒によって相対的に前方の筆記状態と相対的に後方の非筆記状態とに交互に保持され、
前記閉鎖体は、前記軸線周りの位相が前記軸筒の前記軸筒開口部と揃えられた閉鎖体開口部と、この閉鎖体開口部とは異なる位相に設けられた閉鎖部と、を有し、
前記回転筒は、前記筆記体が前記筆記状態にあるとき、前記回転筒開口部の前記軸線周りの位相が前記閉鎖体開口部の位相と揃えられ、前記筆記体が前記非筆記状態にあるとき、前記回転筒開口部の前記軸線周りの位相が前記閉鎖体の前記閉鎖部の位相と揃えられて当該閉鎖部によって前記回転筒開口部が気密に閉鎖される、筆記具。
【請求項２】
前記筆記体を前記軸筒に対して前方から付勢する弾性体を更に備え、
前記筆記体が前記非筆記状態にあるとき、前記弾性体の弾発力によって前記閉鎖体の前記閉鎖部が前記回転筒開口部の周縁領域に後方から押し付けられることにより、前記回転筒開口部が気密に閉鎖される、請求項１に記載の筆記具。
【請求項３】
前記筆記体は、側面に突出部を有し、
前記閉鎖体は、筒状であり、側壁に前記軸線方向に延びて前記突出部をガイドする、ガイド孔を有し、
前記回転筒は、側壁に設けられ前記突出部に係合される被係合部であって、前記軸線周りに延びる螺旋状の溝または切り欠き部と、この螺旋状の溝または切り欠き部の前端から前記軸線方向に延びる直線状の溝または切り欠き部と、を含む被係合部を有し、
前記筆記体の前記突出部は、前記閉鎖体の前記ガイド孔を貫いて前記回転筒の前記被係合部に係合している、請求項１または２に記載の筆記具。
【請求項４】
前記閉鎖体は、前記閉鎖部の外周を取り囲み、前記筆記体が前記非筆記状態であるときに前記回転筒開口部の周縁領域に押し当てられる、第１パッキンを有する、請求項１〜３のいずれか一項に記載の筆記具。
【請求項５】
前端に軸筒開口部を有する軸筒と、
前記軸筒内にその軸線方向に相対移動可能に保持された筆記体と、
前記軸筒内に、その軸線周りに相対回転可能に配置され、前端に回転筒開口部が形成された、回転筒と、
前記軸筒内に配置され、前記回転筒の前方から前記回転筒開口部を気密に閉鎖可能な閉鎖体と、を備え、
前記筆記体は、前記軸筒に対し前方に所定位置まで押し込まれると、前記軸筒によって相対的に前方の筆記状態と相対的に後方の非筆記状態とに交互に保持され、
前記閉鎖体は、前記軸線周りの位相が前記軸筒の前記軸筒開口部と揃えられた閉鎖体開口部と、この閉鎖体開口部とは異なる位相に設けられた閉鎖部と、を有し、
前記回転筒は、前記筆記体が前記筆記状態にあるとき、前記回転筒開口部の前記軸線周りの位相が前記閉鎖体開口部の位相と揃えられ、前記筆記体が前記非筆記状態にあるとき、前記回転筒開口部の前記軸線周りの位相が前記閉鎖体の前記閉鎖部の位相と揃えられて当該閉鎖部によって前記回転筒開口部が気密に閉鎖される、筆記具。
【請求項６】
前記軸筒に対して前記閉鎖体を前方から付勢する付勢手段を更に備え、
前記筆記体が前記非筆記状態にあるとき、前記付勢手段の付勢力によって前記閉鎖体の前記閉鎖部が前記回転筒開口部の周縁領域に前方から押し付けられることにより、前記回転筒開口部が気密に閉鎖される、請求項５に記載の筆記具。
【請求項７】
前記筆記体は、側面に突出部を有し、
前記軸筒は、内面に前記軸線方向に延びて前記突出部をガイドする、ガイド部を有し、
前記回転筒は、側壁に設けられ前記突出部に係合される被係合部であって、前記軸線周りに延びる螺旋状の切り欠き部と、この螺旋状の切り欠き部の前端から前記軸線方向に延びる直線状の切り欠き部と、を含む被係合部を有し、
前記筆記体の前記突出部は、前記回転筒の前記被係合部を貫いて前記軸筒の前記ガイド部に係合している、請求項５または６に記載の筆記具。
【請求項８】
前記軸筒に固定され、前記回転筒の内部に前記筆記体を取り囲んだ状態で配置された内筒を更に備え、
前記筆記体は、側面に突出部を有し、
前記内筒は、側壁に前記軸線方向に延びて前記突出部をガイドする、ガイド孔を有し、
前記回転筒は、側壁に設けられ前記突出部に係合される被係合部であって、前記軸線周りに延びる螺旋状の溝または切り欠き部と、この螺旋状の溝または切り欠き部の前端から前記軸線方向に延びる直線状の溝または切り欠き部と、を含む被係合部を有し、
前記筆記体の前記突出部は、前記内筒の前記ガイド孔を貫いて前記回転筒の前記被係合部に係合している、請求項５または６に記載の筆記具。
【請求項９】
前記回転筒の前記回転筒開口部と前記閉鎖体の前記閉鎖部とは、前記軸線周りの位相が互いに１８０度ずれている、請求項１〜８のいずれか一項に記載の筆記具。
【請求項１０】
前記回転筒の外面と前記軸筒の内面との間隙を気密に封止する第２パッキンを更に備えた、請求項１〜９のいずれか一項に記載の筆記具。
【発明の詳細な説明】
【技術分野】
【０００１】
本発明は、ノック操作等によりワンタッチで筆記体を軸筒の前端から出没させることが可能な筆記具に関する。
【背景技術】
【０００２】
一般に、万年筆等の筆記具は、軸筒と、軸筒に保持された筆記体と、軸筒または筆記体に取り外し可能に係合されて筆記体の前端（ペン先）を気密に取り囲むキャップと、を有している。筆記時には、このキャップが外されてペン先が外部に露出され、筆記が行われる。そして、筆記が終了すると、キャップが軸筒または筆記体に再び取り付けられ、インキの乾燥やペン先の損傷が防止される。
【０００３】
これに対し、本件出願人は、例えば非特許文献１に示されるように、軸筒の前端に、ペン先が収容される軸筒内の空間を気密に保持可能なシャッター機構を設けた筆記具を創案した。これにより、キャップを用いることなくインキの乾燥やペン先の損傷を防止し得ることとなった。更に、非特許文献１の筆記具には、このシャッター機構に加え、筆記体を軸筒の軸線方向に押し込むことにより軸筒が当該筆記体を相対的に前方の筆記状態と相対的に後方の非筆記状態とに交互に保持させる、出没機構が搭載されている。このような構成により、ワンタッチ（ノック操作あるいは回転操作）で筆記状態と非筆記状態とを切替可能な、利便性の高い筆記具が提供され得る。
【０００４】
非特許文献１の筆記具において、シャッター機構の開閉動作は、筆記具の前端部（例えば万年筆のペン先）が直接シャッター機構を押し開くようにして行われていた。この場合、比較的大型のペン先を有する筆記具の場合、ペン先がシャッター機構に引っ掛かってしまい、スムーズな開閉動作が行えない可能性があった。この問題に対しては、シャッター機構を大型化することが有効であると考えられるが、この場合、シャッター機構による気密性を十分に確保することが困難になることが懸念される。更に、軟質の材料で構成されたペン先を有する筆記具の場合、シャッター機構に当接した際にペン先に傷が付いたり、ペン先が変形したりする可能性があった。また、デザイン上の制約が大きくなるという問題もある。
【０００５】
比較的大型のペン先に対応可能なシャッター方式としては、特許文献１に示すような回転式のシャッター機構が有効と考えられる。回転式のシャッター機構は、軸筒の中心軸線と非平行な、好ましくは直交する、板状のシャッターと、このシャッターを軸筒の中心軸線周りに回転させる回転機構とを、有している。とりわけ、特許文献１のシャッター機構は、筆記体を軸筒から出没させる出没機構に連動して、シャッターが中心軸線周りに回転されることにより、筆記体の出没の許否を交互に切り替えるようになっている。
【０００６】
特許文献１の筆記具では、出没機構として、回転操作式のものが採用されている。すなわち、出没機構に含まれる操作体が回転操作されて筆記体が非筆記状態から筆記状態に切り替えられるときには、シャッターの貫通孔と軸筒の前端に設けられた開口部との位相が軸筒の軸線周りにおいて揃えられ、これら貫通孔及び開口部を通過してペン先が外部に露出される。一方、筆記体が筆記状態から非筆記に切り替えられるときには、ペン先が軸筒の内部に格納された後で、シャッターが中心軸線周りに回動し、軸筒開口部がシャッターによって閉鎖される。しかしながら、特許文献１のシャッター機構では、非筆記状態において、シャッターと軸筒とによって画定されるペン先の収容空間を十分な気密性をもって密閉することが困難であると考えられる。
【先行技術文献】
【特許文献】
【０００７】
【特許文献１】特開２００６−１０３３３３号公報
【非特許文献】
【０００８】
【非特許文献１】パイロット「キャップレス」特設サイト（平成３０年５月１６日検索）ＵＲＬ：http://pilot-capless.jp/
【発明の概要】
【発明が解決しようとする課題】
【０００９】
本発明は、以上の問題に鑑みて創案されたものである。すなわち、本発明の目的は、回転式のシャッター機構を採用しながら、非筆記時におけるペン先の収容空間の気密性が十分に高められた筆記具を提供することである。
【課題を解決するための手段】
【００１０】
本発明の第１の態様による筆記具は、前端に軸筒開口部を有する軸筒と、
前記軸筒内にその軸線方向に相対移動可能に保持された筆記体と、
前記軸筒内に、その軸線周りに相対回転可能に配置され、前端に回転筒開口部が形成された、回転筒と、
前記軸筒に固定され、前記回転筒の内部において当該回転筒の後方から前記回転筒開口部を気密に閉鎖可能な閉鎖体と、を備え、
前記筆記体は、前記軸筒に対し前方に所定位置まで押し込まれると、前記軸筒によって相対的に前方の筆記状態と相対的に後方の非筆記状態とに交互に保持され、
前記閉鎖体は、前記軸線周りの位相が前記軸筒の前記軸筒開口部と揃えられた閉鎖体開口部と、この閉鎖体開口部とは異なる位相に設けられた閉鎖部と、を有し、
前記回転筒は、前記筆記体が前記筆記状態にあるとき、前記回転筒開口部の前記軸線周りの位相が前記閉鎖体開口部の位相と揃えられ、前記筆記体が前記非筆記状態にあるとき、前記回転筒開口部の前記軸線周りの位相が前記閉鎖体の前記閉鎖部の位相と揃えられて当該閉鎖部によって前記回転筒開口部が気密に閉鎖されるようになっている。
【００１１】
以上の筆記具は、前記筆記体を前記軸筒に対して前方から付勢する弾性体を更に備え、
前記筆記体が前記非筆記状態にあるとき、前記弾性体の弾発力によって前記閉鎖体の前記閉鎖部が前記回転筒開口部の周縁領域に後方から押し付けられることにより、前記回転筒開口部が気密に閉鎖されて良い。
【００１２】
前記筆記体は、側面に突出部を有し、
前記閉鎖体は、筒状であり、側壁に前記軸線方向に延びて前記突出部をガイドする、ガイド孔を有し、
前記回転筒は、側壁に設けられ前記突出部に係合される被係合部であって、前記軸線周りに延びる螺旋状の溝または切り欠き部と、この螺旋状の溝または切り欠き部の前端から前記軸線方向に延びる直線状の溝または切り欠き部と、を含む被係合部を有し、
前記筆記体の前記突出部は、前記閉鎖体の前記ガイド孔を貫いて前記回転筒の前記被係合部に係合していて良い。
【００１３】
前記閉鎖体は、前記閉鎖部の外周を取り囲み、前記筆記体が前記非筆記状態であるときに前記回転筒開口部の周縁領域に押し当てられる、第１パッキンを有していて良い。
【００１４】
また、本発明の第２の態様による筆記具は、前端に軸筒開口部を有する軸筒と、
前記軸筒内にその軸線方向に相対移動可能に保持された筆記体と、
前記軸筒内に、その軸線周りに相対回転可能に配置され、前端に回転筒開口部が形成された、回転筒と、
前記軸筒内に配置され、前記回転筒の前方から前記回転筒開口部を気密に閉鎖可能な閉鎖体と、を備え、
前記筆記体は、前記軸筒に対し前方に所定位置まで押し込まれると、前記軸筒によって相対的に前方の筆記状態と相対的に後方の非筆記状態とに交互に保持され、
前記閉鎖体は、前記軸線周りの位相が前記軸筒の前記軸筒開口部と揃えられた閉鎖体開口部と、この閉鎖体開口部とは異なる位相に設けられた閉鎖部と、を有し、
前記回転筒は、前記筆記体が前記筆記状態にあるとき、前記回転筒開口部の前記軸線周りの位相が前記閉鎖体開口部の位相と揃えられ、前記筆記体が前記非筆記状態にあるとき、前記回転筒開口部の前記軸線周りの位相が前記閉鎖体の前記閉鎖部の位相と揃えられて当該閉鎖部によって前記回転筒開口部が気密に閉鎖されるようになっている。
【００１５】
以上の筆記具は、前記軸筒に対して前記閉鎖体を前方から付勢する付勢手段を更に備え、
前記筆記体が前記非筆記状態にあるとき、前記付勢手段の付勢力によって前記閉鎖体の前記閉鎖部が前記回転筒開口部の周縁領域に前方から押し付けられることにより、前記回転筒開口部が気密に閉鎖されるようになっていて良い。
【００１６】
前記筆記体は、側面に突出部を有し、
前記軸筒は、内面に前記軸線方向に延びて前記突出部をガイドする、ガイド部を有し、
前記回転筒は、側壁に設けられ前記突出部に係合される被係合部であって、前記軸線周りに延びる螺旋状の切り欠き部と、この螺旋状の切り欠き部の前端から前記軸線方向に延びる直線状の切り欠き部と、を含む被係合部を有し、
前記筆記体の前記突出部は、前記回転筒の前記被係合部を貫いて前記軸筒の前記ガイド部に係合していて良い。
【００１７】
以上の筆記具は、前記軸筒に固定され、前記回転筒の内部に前記筆記体を取り囲んだ状態で配置された内筒を更に備え、
前記筆記体は、側面に突出部を有し、
前記内筒は、側壁に前記軸線方向に延びて前記突出部をガイドする、ガイド孔を有し、
前記回転筒は、側壁に設けられ前記突出部に係合される被係合部であって、前記軸線周りに延びる螺旋状の溝または切り欠き部と、この螺旋状の溝または切り欠き部の前端から前記軸線方向に延びる直線状の溝または切り欠き部と、を含む被係合部を有し、
前記筆記体の前記突出部は、前記内筒の前記ガイド孔を貫いて前記回転筒の前記被係合部に係合していて良い。
【００１８】
以上の筆記具において、前記回転筒の前記回転筒開口部と前記閉鎖体の前記閉鎖部とは、前記軸線周りの位相が互いに１８０度ずれていて良い。
【００１９】
また、以上の筆記具は、前記回転筒の外面と前記軸筒の内面との間隙を気密に封止する第２パッキンを更に備えていて良い。
【発明の効果】
【００２０】
本発明によれば、回転式のシャッター機構を採用しながら、非筆記時におけるペン先の収容空間の気密性が十分に高められた筆記具を提供することができる。
【図面の簡単な説明】
【００２１】
【図１】本発明の第１の実施の形態による筆記具を非筆記状態にて示す概略縦断面図である。
【図２】本発明の第１の実施の形態による筆記具を筆記状態にて示す概略縦断面図である。
【図３】図１の筆記具の閉鎖体を示す概略斜視図である。
【図４】図３の閉鎖体に取り付けられるパッキンを示す概略斜視図である。
【図５】図１の筆記具の回転筒を示す概略斜視図である。
【図６】図１の筆記具の保持体を示す概略斜視図である。
【図７】図１の筆記具の作用を説明するための図である。図７（ａ）は、筆記体が僅かに前進したときの筆記具の前方部分を示す概略縦断面図であり、図７（ｂ）及び図７（ｃ）は、そのときの閉鎖体及び回転筒と筆記体の突出部との相対位置関係をそれぞれ示す図である。
【図８】図１の筆記具の作用を説明するための図である。図８（ａ）は、筆記体が非筆記状態から筆記状態に切り替えられている途中の筆記具の前方部分を示す概略縦断面図であり、図８（ｂ）及び図８（ｃ）は、そのときの閉鎖体及び回転筒と筆記体の突出部との相対位置関係をそれぞれ示す図である。
【図９】図１の筆記具の作用を説明するための図である。図９（ａ）は、筆記体が筆記状態にあるときの筆記具の前方部分を示す概略縦断面図であり、図９（ｂ）及び図９（ｃ）は、そのときの閉鎖体及び回転筒と筆記体の突出部との相対位置関係をそれぞれ示す図である。
【図１０】本発明の第２の実施の形態における筆記具の前方部分を示す概略縦断面図である。
【図１１】図１０の筆記具の閉鎖体を示す概略図である。図１１（ａ）は、閉鎖体の概略正面図であり、図１１（ｂ）は、閉鎖体の概略縦断面図である。
【発明を実施するための形態】
【００２２】
以下に、添付の図面を参照して本発明の一実施の形態を詳細に説明する。
【００２３】
図１は、本発明の第１の実施の形態による筆記具１００を非筆記状態にて示す概略縦断面図であり、図２は、筆記具１００を筆記状態にて示す概略縦断面図である。
【００２４】
図１及び図２に示すように、筆記具１００は、前端（図１及び図２の左端）に軸筒開口部１０ａを有する軸筒１０と、軸筒１０内にその軸線方向ｄａに相対移動可能に保持された筆記体２０と、軸筒１０内にその中心軸線Ｌ周りに相対回転可能に配置された回転筒３０と、軸筒１０に固定された閉鎖体４０と、を備えている。閉鎖体４０は、筒形であり、筆記体２０の前端部を取り囲んだ状態で軸筒１０に固定されている。更に、回転筒３０は、閉鎖体４０を取り囲んだ状態で、軸筒１０内に配置されている。
【００２５】
図３は、図１の筆記具１００の閉鎖体４０を示す概略斜視図であり、図４は、図３の閉鎖体４０に取り付けられる第１パッキン４５を示す概略斜視図である。また、図５は、図１の筆記具１００の回転筒３０を示す概略斜視図である。
【００２６】
図３に示すように、閉鎖体４０は、軸筒１０に接続される円筒状の閉鎖体本体４１と、閉鎖体本体４１の前方（図３における左方）に接続され当該閉鎖体本体４１より小径の円筒状の閉鎖体小径部４２と、を有している。閉鎖体本体４１は、後端（図３における右端）に雄ネジ部４３を有し、この雄ネジ部４３と軸筒１０に設けられた雌ネジ部１３とが螺着されることにより、閉鎖体４０が軸筒１０に固定されるようになっている。更に、閉鎖体本体４１は、側壁に、軸線方向ｄａと平行な方向に延びる２つの長孔を有している。これらの長孔は、後述する筆記体２０の突出部２４をガイドするガイド孔４１ｇとして設けられている。図３に示すように、２つのガイド孔４１ｇは、互いに同一の形状を有しており、閉鎖体４０の中心軸線Ｌに関して位相が１８０°ずれて形成されている。なお、閉鎖体４０は、軸筒１０に螺着された際に、その中心軸線が軸筒１０の中心軸線Ｌ（図１参照）と一致する。このため、閉鎖体４０の中心軸線を示す符号として、軸筒１０の中心軸線と同じ符号Ｌを用いている。このことは、後述する回転筒３０及び保持体２３の中心軸線についても同様である。
【００２７】
図３に示すように、閉鎖体４０の閉鎖体小径部４２は、前端に閉鎖部４４と閉鎖体開口部４０ａとを有している。閉鎖部４４は、略半月状の形状にて前方に突出しており、後述する回転筒３０の回転筒開口部３０ａ（図５参照）を後方から閉鎖するようになっている。閉鎖部４４の外周には、図４に示す第１パッキン４５が取り付けられることにより、閉鎖部４４によって回転筒開口部３０ａが気密に閉鎖されるようになっている。また、閉鎖体開口部４０ａは、筆記体２０の前端、図示される例では万年筆のペン先２１、が通過可能な寸法を有する貫通孔であり、中心軸線Ｌに関して閉鎖部４４と位相が１８０°ずれている。
【００２８】
次に、図５を参照して回転筒３０について説明する。図５に示すように、回転筒３０は、回転筒本体３１と、回転筒本体３１の前方（図５における左方）に接続され当該回転筒本体３１よりも小径の回転筒小径部３２と、を有している。回転筒本体３１は、後述する筆記体２０の突出部２４に係合される被係合部３１ｅを有している。被係合部３１ｅは、回転筒本体３１の側壁に中心軸線Ｌ周りに延びる螺旋状の切り欠き部３１ｅ１と、螺旋状の切り欠き部３１ｅ１の前端から軸線方向ｄａと平行な方向に後方へと延びる直線状の切り欠き部３１ｅ２と、を含んでいる。
【００２９】
更に、回転筒３０は、回転筒本体３１の外周面のうち被係合部３１ｅの前端より前方に、環状の溝３１ｇが形成されている。環状の溝３１ｇには、第２パッキン５１（図１及び図２参照）が組み付けられるようになっている。この第２パッキン５１は、回転筒３０の環状の溝３１ｇ及び軸筒１０の内面に密着することにより、回転筒３０の外面と軸筒１０の内面との間隙を気密に封止するようになっている。この第２パッキン５１及び前述した第１パッキン４５や、軸筒１０の後方内部に配設されたパッキン（不図示）の存在によって、非筆記状態において、閉鎖体４０の内部空間が気密に保持されることになる。第１パッキン４５及び第２パッキン５１は、一例として、ニトリルゴムやシリコンゴムなど弾力性を有した材質や、フッ素樹脂やポリアセタール樹脂など肉厚を薄くすることで弾性が得られる材質が用いられ、その断面形状や外形形状は限定されない。
【００３０】
図１及び図２に戻って、軸筒１０は、回転筒本体３１より前方の位置、すなわち回転筒小径部３２に対面する位置に、回転筒本体３１の外径より小さい内径を有する第１縮径部１１を有している。更に、軸筒１０は、回転筒本体３１より後方に、当該回転筒本体３１の外径より小さい内径を有する第２縮径部１２を有している。第１縮径部１１と第２縮径部１２との離間距離は、回転筒本体３１の長さ（軸線方向ｄａに沿った寸法）よりも僅かに大きくなっている。このような構成により、回転筒３０は、軸筒１０に対する軸線Ｌ周りの相対回転に加え、軸筒１０の軸線方向ｄａに沿った僅かな相対移動が許容されている。
【００３１】
次に、図１及び図２に示すように、筆記体２０は、ペン先２１を含む筆記体本体２２と、筆記体本体２２を保持して一体的に移動する保持体２３と、を有している。前述したように、図１及び図２において、筆記体２０は万年筆として図示されているが、これには限られず、ボールペン、サインペン、蛍光ペンなど、様々な筆記体であり得る。
【００３２】
次に、図６は、図１の筆記具１００の筆記体２０の保持体２３を示す概略斜視図である。図６に示すように、保持体２３は、内部に筆記体本体２２を収容する収容空間を画定する筒形の形状を有している。保持体２３は、直接的に、または間接的に、軸筒１０の外部からの操作を受けて、筆記体本体２２と共に軸筒１０に対し軸線方向ｄａと平行な方向に相対移動するようになっている。
【００３３】
例えば、筆記具１００がノック式の出没機構を有する場合、保持体２３の後端は、軸筒１０から後方に突出していて良い。そして、軸筒１０の後方から保持体２３の後端部が所定量押し込まれることにより、筆記体２０は、軸筒１０によって相対的に前方の筆記状態（図１参照）と相対的に後方の非筆記状態（図２参照）とに交互に保持されるようになっている。あるいは、筆記具１００が回転式の出没機構を有する場合、軸筒１０に相対回転可能に保持された回転操作体（不図示）が回転操作されることによって筆記体２０が軸筒１０に対し前方に所定量押し込まれる。この回転操作により、筆記体２０は、軸筒１０によって筆記状態と非筆記状態とに交互に保持されるようになっている。ノック式の出没機構及び回転操作式の出没機構に関しては、既知の機構が採用され得るため、ここではその詳細な説明を省略する。
【００３４】
図６に示すように、保持体２３は、外面に突出部２４を有している。本実施の形態の突出部２４は、保持体２３の前端（図６における左端）近傍に２箇所に設けられており、互いに、中心軸線Ｌに関して対称的に、すなわち中心軸線Ｌ周りに互いに位相が１８０°異なって、配置されている。これらの突出部２４は、閉鎖体４０のガイド孔４１ｇを貫いて回転筒３０の被係合部３１ｅに係合するようになっている（図１及び図２参照）。更に、図６に示すように、保持体２３の外面には、径方向外方に突出した保持体側受け部２５を有している。
【００３５】
筆記具１００は、筆記体２０を軸筒１０に対して前方から付勢する弾性体６０を更に備えている。図１及び図２に示すように、軸筒１０は、保持体２３の保持体側受け部２５より前方に、径方向内方に突出した軸筒側受け部１４を有している。そして、軸筒側受け部１４と保持体側受け部２５との間に、弾性体６０が圧縮状態で配置されている。弾性体６０は、例えばコイルバネである。この弾性体６０の作用により、筆記体２０は、軸筒１０に対して、常時、後方に付勢されている。
【００３６】
次に、図７〜図９を参照して、筆記具１００の作用について説明する。
【００３７】
図７（ａ）は、筆記体２０が僅かに前進したときの筆記具１００の前方部分を示す概略縦断面図であり、図７（ｂ）及び図７（ｃ）は、そのときの閉鎖体４０及び回転筒３０と筆記体２０の突出部２４との相対位置関係をそれぞれ示す図である。図８（ａ）は、筆記体２０が非筆記状態から筆記状態に切り替えられている途中の筆記具１００の前方部分を示す概略縦断面図であり、図８（ｂ）及び図８（ｃ）は、そのときの閉鎖体４０及び回転筒３０と筆記体２０の突出部２４との相対位置関係をそれぞれ示す図である。図９（ａ）は、筆記体２０が筆記状態にあるときの筆記具１００の前方部分を示す概略縦断面図であり、図９（ｂ）及び図９（ｃ）は、そのときの閉鎖体４０及び回転筒３０と筆記体２０の突出部２４との相対位置関係をそれぞれ示す図である。理解を容易にするため、各図において、回転筒３０は展開図で示してある。
【００３８】
以下、図１に示す非筆記状態を初期状態として、説明を行う。図１に示すように、初期状態において、保持体２３の突出部２４は、回転筒３０の被係合部３１ｅの後端（図１における右端）に当接して、回転筒３０を後方に付勢している。この付勢力により、回転筒３０が閉鎖体４０に前方から押し付けられ、回転筒開口部３０ａが、第１パッキン４５を含む閉鎖部４４によって気密に閉鎖されている。更に、回転筒３０のシャッター部３０ｓが、閉鎖体４０の閉鎖体開口部４０ａを完全に覆っている。
【００３９】
この状態で、使用者により筆記具１００の出没機構に所定の操作が加えられ、筆記体２０が弾性体６０を圧縮させつつ軸筒１０に対し僅かに前進させられる。保持体２３の突出部２４は、軸筒１０に固定された閉鎖体４０のガイド孔４１ｇによってガイドされるため、筆記体２０が軸筒１０に対して相対回転することは無い。これにより、保持体２３によって回転筒３０が軸筒１０に対し僅かに前進させられる。この前進は、回転筒３０が軸筒１０の第１縮径部１１に後方から当接して更なる前進が禁止されることにより終了する。一方、閉鎖体４０は軸筒１０に固定されているため、軸筒１０に対して相対移動しない。この結果、回転筒３０が閉鎖体４０に対して相対的に前進し、回転筒開口部３０ａが閉鎖部４４によって気密に閉鎖された状態が解除される。
【００４０】
ところで、突出部２４は、螺旋状の切り欠き部３１ｅ１に係合している。このため、筆記体２０が軸筒１０に対して前進する際に、回転筒３０には、突出部２４により回転筒３０を前進させる力と、中心軸線Ｌ周りに回転させる力と、の双方が作用する。しかしながら、初期状態において回転筒３０の回転筒開口部３０ａは閉鎖体４０の閉鎖部４４に嵌合しているため、当該閉鎖部４４との嵌合状態が解除されるまでは、軸筒１０及び閉鎖体４０に対し中心軸線Ｌ周りに相対回転することが規制される。
【００４１】
図７に示す状態から更に筆記体２０が前進させられると、回転筒３０の更なる前進が規制されているため、筆記体２０は、弾性体６０を圧縮させ、且つ、回転筒３０を軸筒１０に対し中心軸線Ｌ周りに相対回転させながら、軸筒１０に対し前方に相対移動する。回転筒３０の相対回転は、突出部２４が螺旋状の切り欠き部３１ｅ１の前端、すなわち、直線状の切り欠き部３１ｅ２の後端に到達するまで、継続する。
【００４２】
保持体２３の突出部２４が螺旋状の切り欠き部３１ｅ１の前端まで到達すると、図８に示すように、回転筒３０は、初期状態から中心軸線Ｌ周りに１８０°回転させられる。このことにより、図８（ａ）に示すように、中心軸線Ｌ周りの回転筒開口部３０ａの位相が閉鎖体４０の閉鎖体開口部４０ａ及び軸筒１０の軸筒開口部１０ａの各位相と揃えられる。このとき、筆記体２０は、ペン先２１の前端の位置が閉鎖体４０の前端と略同じ位置になるまで前進させられている。
【００４３】
この状態から弾性体６０の付勢力に対抗して筆記体２０が更に前進させられると、突出部２４は、閉鎖体４０のガイド孔４１ｇによってガイドされつつ、回転筒３０の直線状の切り欠き部３１ｅ２を前進する。このため、筆記体２０が軸筒１０に対し前進する一方、回転筒３０は、中心軸線Ｌまわりに同一の位相を維持する。突出部２４が回転筒３０の直線状の切り欠き部３１ｅ２を前進するにつれて、筆記体２０のペン先２１が閉鎖体４０、回転筒３０及び軸筒１０の各開口部４０ａ、３０ａ、１０ａを順に貫いて、軸筒１０から前方に露出される（図９参照）。このとき、筆記体２０は、図示されない出没機構によって、軸筒１０に対し後退しないように保持され、筆記状態（図２参照）が実現される。以上の作用により、筆記具１００の筆記の準備が完了する。その後、使用者によって所望に筆記が行われる。
【００４４】
そして、筆記が完了すると、使用者により筆記具１００の出没機構に所定の操作が加えられ、筆記体２０が軸筒１０に対して後退を開始する。この後退により、上述した非筆記状態から筆記状態に切り替える際の過程を逆順にたどって、筆記具１００が初期状態に復帰される。すなわち、突出部２４が、閉鎖体４０のガイド孔４１ｇによってガイドされつつ、回転筒３０の直線状の切り欠き部３１ｅ２をその後端まで移動し、筆記体２０のペン先２１が軸筒１０内に格納される（図８参照）。この状態から筆記体２０が軸筒１０に対し更に後退させられると、突出部２４は、閉鎖体４０のガイド孔４１ｇによってガイドされつつ、回転筒３０の螺旋状の切り欠き部３１ｅ１をその後端まで移動する。この過程で、回転筒３０は中心軸線Ｌ周りに１８０°逆回転される。この結果、回転筒開口部３０ａの中心軸線Ｌ周りの位相が閉鎖体４０の閉鎖体開口部４０ａの位相と揃えられ、且つ、シャッター部３０ｓが閉鎖体４０の閉鎖体開口部４０ａを完全に覆う（図７参照）。
【００４５】
なお、筆記具１００が非筆記状態から筆記状態に切り替えられる際、回転筒３０は、軸筒１０の第１縮径部１１に後方から押し当てられた状態で、軸筒１０及び閉鎖体４０に対して中心軸線Ｌ周りに相対回転する。また、筆記具１００が筆記状態から非筆記状態に切り替えられる際、回転筒３０は、シャッター部３０ｓの後面が閉鎖体４０の閉鎖部４４に前方から押し当てられた状態で、軸筒１０及び閉鎖体４０に対して中心軸線周りに相対回転する。すなわち、これらのいずれの場合においても、回転筒３０が軸筒１０及び閉鎖体４０に対して相対回転している際に、第１パッキン４５と回転筒３０とが当接することが無い。このことにより、第１パッキン４５の摩耗が効果的に抑制される。
【００４６】
この状態から筆記体２０が更に軸筒１０に対し後退させられると、回転筒３０は、閉鎖体４０に前方から押し付けられる。すなわち、回転筒３０の回転筒開口部３０ａが閉鎖体４０の閉鎖部４４により気密に閉鎖される。これにより、図１に示す初期状態が復元される。以上の、筆記体２０が筆記状態から非筆記状態に切り替えられる過程では、使用者により初動操作が行われると、その後の一連の動作が弾性体６０の弾発力によって自発的に実現される。すなわち、筆記具１００は、ワンタッチの操作で初期状態に復帰され得る。
【００４７】
図１に示す初期状態（非筆記状態）では、第１パッキン４５が回転筒３０の回転筒開口部３０ａの周縁領域に密着させられる。このため、回転筒開口部３０ａと閉鎖部４４との隙間を通じて空気が通流することが禁止される。更に、第２パッキン５１が、非筆記状態から筆記状態に切り替えられる過程において、回転筒３０と軸筒１０の内面とに常時密着している。このため、回転筒３０と軸筒１０との間隙を空気が通流することが禁止される。すなわち、非筆記状態において、回転筒３０の被係合部３１ｅ及び閉鎖体４０のガイド孔４１ｇを介して、閉鎖体４０の内部と軸筒１０の外部との間で空気が通流することが禁止される。要するに、非筆記状態において、筆記体２０のペン先２１が収容されている閉鎖体４０の内部空間の気密性が確保される。
【００４８】
以上のような本実施の形態によれば、とりわけ、回転筒３０の回転筒開口部３０ａが閉鎖体４０により気密に閉鎖されることにより、回転式のシャッター機構を採用しながら、非筆記時におけるペン先２１の収容空間の気密性が十分に高められた筆記具１００を提供することができる。
【００４９】
特に、筆記具１００は、筆記体２０を軸筒１０に対して前方から付勢する弾性体６０を備え、筆記体２０が非筆記状態にあるとき、弾性体６０の弾発力によって閉鎖体４０の閉鎖部４４が回転筒開口部３０ａの周縁領域に後方から押し付けられるようになっている。このことにより、回転筒開口部３０ａを高い気密性をもって閉鎖することができる。
【００５０】
また、筆記体２０の突出部２４が閉鎖体４０のガイド孔４１ｇを貫いて回転筒３０の被係合部３１ｅに係合しているため、回転式のシャッター機構を確実に作動させることができる。
【００５１】
閉鎖体４０は、閉鎖部４４の外周を取り囲み、筆記体２０が非筆記状態であるときに回転筒開口部３０ａの周縁領域に押し当てられる、第１パッキン４５を有している。このことにより、非筆記時において、閉鎖体４０が回転筒開口部３０ａを一層良好な気密性をもって閉鎖することができる。
【００５２】
更に、筆記具１００が、回転筒３０の外面と軸筒１０の内面との間隙を気密に封止する第２パッキン５１を有するため、非筆記時におけるペン先２１の収容空間の気密性を確実に確保することができる。
【００５３】
第１パッキン４５及び第２パッキン５１としては、一例として、ニトリルゴムやシリコンゴムなど弾力性を有した材質や、フッ素樹脂やポリアセタール樹脂など肉厚を薄くすることで弾性が得られる材質が用いられ、その断面形状や外形形状が限定されることが無い。このため、シール部材の選択の自由度が高い。
【００５４】
次に、本発明の第２の実施の形態による筆記具２００について説明する。
【００５５】
図１０は、本発明の第２の実施の形態における筆記具２００の前方部分を示す概略縦断面図である。但し、図１０において、筆記体２０の図示を省略してあるが、その構成は第１の実施の形態と同じである。図１０に示すように、筆記具２００は、閉鎖体２４０が回転筒２３０の前方に配置されている点で、第１の実施の形態による筆記具１００とは異なっている。
【００５６】
図１１は、図１０の筆記具２００の閉鎖体２４０を示す概略図である。図１１（ａ）は、閉鎖体２４０の概略正面図であり、図１１（ｂ）は、閉鎖体２４０の概略縦断面図である。図１１に示すように、閉鎖体２４０は、有底筒形の形状を有している。閉鎖体２４０の底部には、閉鎖体開口部２４０ａが形成されている。また、閉鎖体２４０の底部のうち、閉鎖体開口部２４０ａが形成されていない領域は、後述する回転筒２３０の回転筒開口部２３０ａを閉鎖するための閉鎖部２４４となっている。図１１に示すように、本実施の形態の閉鎖体開口部２４０ａも、筆記体２０の前端、例えば万年筆のペン先２１、が通過可能な寸法を有する貫通孔であり、中心軸線Ｌに関して閉鎖部２４４と位相が１８０°ずれた位置に形成されている。
【００５７】
図１１（ａ）に示すように、閉鎖体２４０は、正面から見て（軸筒２１０の中心軸線Ｌの方向から見て）、輪郭線が非円形となっている。図示される例では、図１１（ａ）の上下左右の４箇所が平坦な輪郭線を有している。更に、詳細には図示されていないが、軸筒２１０の内面は、閉鎖体２４０の前記平坦な輪郭線を有する部位に対面する部位の横断面の輪郭線が、閉鎖体２４０の輪郭線に対応して平坦になっている。このような構成によって、閉鎖体２４０は、軸筒２１０内に配置された際に、軸筒２１０に対し中心軸線Ｌ周りに相対回転することが禁止されている。もちろん、軸筒２１０に対する閉鎖体２４０の中心軸線Ｌ周りの相対回転を規制することができれば、このような態様には限定されない。
【００５８】
図１０に戻って、閉鎖体２４０は、底部が回転筒２３０に面する向きで、且つ、閉鎖体開口部２４０ａの中心軸線Ｌ周りの位相が軸筒開口部２１０ａの位相と揃えられて、軸筒２１０内に配置されている。図１０に示すように、閉鎖体２４０と軸筒２１０の前端部との間には、付勢手段２７０が配置されている。付勢手段２７０は、圧縮状態で配置されたコイルバネである。この付勢手段２７０の付勢力により、閉鎖体２４０は、回転筒２３０に前方から押し当てられている。
【００５９】
更に、本実施の形態では閉鎖体２４０が回転筒２３０の前方に設けられていることに伴って、第１の実施の形態におけるガイド孔４１ｇ（図３参照）に相当する構成要素が、閉鎖体２４０ではなく軸筒２１０に設けられている。すなわち、軸筒２１０は、内面に、軸筒２１０の軸線方向Ｌと平行な方向に延びて、筆記体２０の突出部２４をガイドする、ガイド部を有している。具体的には、前記ガイド部は、軸筒２１０の内周面に軸線方向ｄａに沿って形成された直線状のガイド溝２１０ｇである。
【００６０】
次に、回転筒２３０は、前端に、回転筒開口部２３０ａが形成されている。回転筒開口部２３０ａは、閉鎖体２４０の閉鎖体開口部２４０ａと略同じ寸法を有している。回転筒２３０の前端部のうち、回転筒開口部２３０ａが形成されている領域以外の領域は、閉鎖されたシャッター部２３０ｓとなっている。シャッター部２３０ｓは、閉鎖体２４０の閉鎖体開口部２４０ａを後方から完全に覆い得る寸法に構成されている。図示されていないが、閉鎖体２４０の閉鎖部２４４のうち回転筒２３０の側の面、及び、回転筒２３０の回転筒開口部２３０ａの周縁領域のうち閉鎖体２４０の側の面、の少なくとも一方の面には、閉鎖部２４４が回転筒開口部２３０ａを覆った際の気密性を確保するためのコーティング層（不図示）が設けられている。
【００６１】
更に、軸筒２１０の内面には、軸筒２１０の内面と回転筒２３０の外面との間隙を気密に閉鎖摺るためのパッキン２５１が取り付けられている。また、閉鎖体２４０の存在によって回転筒２３０が軸筒２１０に対して一定以上前進することが禁止されていることから、軸筒２１０には第１の実施の形態の第１縮径部（図１及び図２の符号１１参照）が設けられていない。この他の構成は、第１の実施の形態による筆記具１００と略同様である。このため、図１０において、第１の実施の形態による筆記具１００と共通する構成部分には同様の符号を付し、ここでは、その詳細な説明を省略する。
【００６２】
以上のような筆記具２００の作用は、概略的には、第１の実施の形態による筆記具１００の作用において、筆記体２０の突出部２４がガイド孔（図３における符号４１ｇ）ではなく、軸筒２１０のガイド溝２１０ｇによってガイドされると読み替えることにより、理解され得る。但し、本実施の形態では、非筆記状態において、閉鎖体２４０及び回転筒２３０のうち、互いに当接する各面領域の少なくとも一方に設けられたコーティング層によって、回転筒開口部２３０ａが閉鎖される。そして、この閉鎖時に、付勢手段２７０の付勢力によって閉鎖体２４０が回転筒２３０に押し当てられることにより、閉鎖体２４０と回転筒２３０の回転筒開口部２３０ａとの間の気密性が確保される。このため、非筆記状態と筆記状態とが切り替えられる際に、回転筒２３０は、軸筒２１０に対し軸線方向ｄａには相対移動されない。
【００６３】
以上のような本実施の形態によれば、とりわけ、回転筒２３０の回転筒開口部２３０ａが閉鎖体２４０の閉鎖部２４４により気密に閉鎖されることにより、回転式のシャッター機構を採用しながら、非筆記時におけるペン先２１の収容空間の気密性が十分に高められた筆記具２００を提供することができる。
【００６４】
特に、筆記具２００は、閉鎖体２４０を軸筒１０に対して前方から付勢する付勢手段２７０を備え、筆記体２０が非筆記状態にあるとき、付勢手段２７０の付勢力によって閉鎖体２４０の閉鎖部２４４が回転筒開口部２３０ａの周縁領域に後方から押し付けられるようになっている。このことにより、回転筒開口部２３０ａを高い気密性をもって閉鎖することができる。
【００６５】
また、筆記体２０の突出部２４が回転筒２３０の被係合部２３０ｅ１を貫いて軸筒２１０のガイド溝２１０ｇに係合しているため、回転式のシャッター機構を確実に作動させることができる。
【００６６】
更に、回転筒２３０の回転筒開口部２３０ａと閉鎖体２４０の閉鎖部２４４とは、位相が中心軸線Ｌ周りに１８０度ずれている。このため、回転筒開口部２３０ａとシャッター部２３０ｓとを、それぞれ最大の大きさに寸法決めすることができる。
【００６７】
パッキン２５１としては、一例として、ニトリルゴムやシリコンゴムなど弾力性を有した材質や、フッ素樹脂やポリアセタール樹脂など肉厚を薄くすることで弾性が得られる材質が用いられ、その断面形状や外形形状が限定されることが無い。このため、シール部材の選択の自由度が高い。
【００６８】
なお、以上の第２の実施の形態では、筆記体２０の突出部２４が軸筒２１０の内面に形成されたガイド溝２１０ｇによってガイドされるものとして説明を行ったが、このような例には限られない。すなわち、筆記具２００の変形例として、軸筒１０に固定され、回転筒２３０の内部に筆記体２０を取り囲んだ状態で配置され、前端が開放された内筒を有する筆記具が想定され得る。この内筒は、側壁に軸筒２１０の軸線方向ｄａと平行な方向に延びて突出部２４をガイドする、ガイド孔を有する。この場合、筆記体２０の突出部２４は、内筒のガイド孔を貫いて回転筒２３０の被係合部２３１ｅに係合していれば良い。結局、本変形例による筆記具は、第１の実施の形態による筆記具１００において、閉鎖体４０の前端部を開放したものであるといえる。したがって、本変形例による筆記具において筆記状態と非筆記状態とが切り替えられる際の、内筒、回転筒２３０及び突出部２４の相互作用は、第１の実施の形態による筆記具１００の閉鎖体４０、回転筒３０及び突出部２４の相互作用と共通する。
【００６９】
このような構成によれば、軸筒２１０の内周面にガイド溝２１０ｇを設けることなく、第２の実施の形態による筆記具２００と同様の作用効果を奏することができる。
【符号の説明】
【００７０】
１０  軸筒
１０ａ  軸筒開口部
１１  第１縮径部
１２  第２縮径部
１３  雌ネジ部
１４  軸筒側受け部
２０  筆記体
２１  ペン先
２２  筆記体本体
２３  保持体
２４  突出部
２５  保持体側受け部
３０  回転筒
３０ａ  回転筒開口部
３０ｓ  シャッター部
３１  回転筒本体
３１ｅ  被係合部
３１ｅ１  螺旋状の切り欠き部
３１ｅ２  直線状の切り欠き部
３１ｇ  環状の溝
３２  回転筒小径部
４０  閉鎖体
４０ａ  閉鎖体開口部
４１  閉鎖体本体
４１ｇ  ガイド孔
４２  閉鎖体小径部
４３  雄ネジ部
４４  閉鎖部
４５  第１パッキン
５１  第２パッキン
６０  弾性体
１００  筆記具
２００  筆記具
２１０  軸筒
２１０ａ  軸筒開口部
２１０ｇ  ガイド溝
２３０  回転筒
２３０ａ  回転筒開口部
【図１】
2019202519.tif 000003
【図２】
2019202519.tif 000004
【図３】
2019202519.tif 000005
【図４】
2019202519.tif 000006
【図５】
2019202519.tif 000007
【図６】
2019202519.tif 000008
【図７】
2019202519.tif 000009
【図８】
2019202519.tif 000010
【図９】
2019202519.tif 000011
【図１０】
2019202519.tif 000012
【図１１】
2019202519.tif 000013